(57)【要約】【目的】  比較的簡単な構成で、底面の強度を向上して底が開いて内容物が抜けるなどの問題を避けることができる、１枚の紙板から構成される紙箱の実現を課題とする。【構成】  平面に展開されたときは長方形の紙板であって、相互に対向する一対の各前後端板１０，２０と、各前後端板１０，２０と側縁同士が接続された相互に対向する一対の各左右側板３０、４０と、前端板２０に上縁において接続された蓋板５０と、後端板１０、右側板４０とを接着する糊代１１と、後端板１０の下縁に接続された後底板フラップ６０と、前端板２０の下縁に接続された前底板７０とを有し、紙板を平面的な紙板状態から立体的な箱形を形成するために起こしたとき、前底板７０に設けられた溝穴７１に後底板フラップ６０が先端から挿入されて底面を構成して箱形を形成することを特徴とする。【選択図】  図１
2009154890.tif 000002
【特許請求の範囲】
【請求項１】
平面に展開されたときは長方形の紙板であって、相互に対向する一対の左右側板と、各前記左右側板と側縁同士が接続された相互に対向する一対の前後端板と、いずれか一つ以上の前記左右側板及び前記前後端板に上縁において接続された蓋板と、前記左右側板の一方と前記端板とを接着する糊代と、各前記前後端板の一方の下縁に接続された底板と、他方の下縁に接続された底板フラップを有し、
前記紙板を平面的な紙板状態から、立体的な箱形を形成するために各前記左右側板と前記前後端板とを直角になる方向に起こしたとき、前記底板に設けられた溝穴に前記底板フラップが先端から挿入されて底面を構成して箱形を形成することを特徴とする紙箱。
【請求項２】
前記底板フラップ先端は外側から前記溝穴内部に向けて挿入されることを特徴とする請求項１に記載の紙箱。
【請求項３】
前記底板は、前記前後端板の一方の内面の一部に接して、該前後端板の一方を補強する側板補強フラップを有することを特徴とする請求項１または２記載の紙箱。
【請求項４】
前記底板は、前記箱形の内部から底面の一面を覆い、該底面を補強する底面補強フラップを有することを特徴とする請求項１または２記載の紙箱。
【発明の詳細な説明】
【技術分野】
【０００１】
本発明は、紙箱に関し、特にその底部の強度に優れた紙箱に関する。
【背景技術】
【０００２】
従来から１枚の紙から切り出して立体的に張り合わせて構成されたいろいろな種類の紙箱がある。
図５にその代表的なものの展開図を示す。同図において、この紙箱２００は、後端板１１０、糊代１１１、前端板１２０、左側板１３０、左蓋支えフラップ１３１、左底支えフラップ１３２、右側板１４０、右蓋支えフラップ１４１、右底支えフラップ１４２、蓋板１５０、後底板フラップ１６０、前底板フラップ１７０から構成されている。
各端板１１０、１２０の各下縁には一対の後底板フラップ１６０、前底板フラップ１７０がそれぞれ接続されている。後底板フラップ１６０と前底板フラップ１７０には、それぞれ係止突起１６１と係止溝１７１が形成されている。
【０００３】
立体的に箱形を形成するためには、後端板１１０、前端板１２０と、左側板１３０、右側板１４０とがそれぞれ直角になるように起こして、糊代１１１を右側板１４０の裏面に貼り付けるとともに、左底支えフラップ１３２、右底支えフラップ１４２を畳み込み、後底板フラップ１６０の係止突起１６１を前底板フラップ１７０の係止溝１７１に係止めさせる。これにより、前後底板フラップ１６０、１７０と左底支えフラップ１３２、右底支えフラップ１４２とが協働して底面を形成するようになっている。
【０００４】
しかしながら、この従来の紙箱２００は、この底面の重ねあわせ面積が必ずしも充分ではなく、強度が弱く、接着が充分でないと紙箱に入れられた内容物が後底板フラップ１６０と前底板フラップ１７０の間を押し開いて、底抜けになるなどの虞があった。
図６（ａ）にこの紙箱２００の組み立て後の底面図を示し、図６（ｂ）にその底面から見た後底板フラップ１６０、前底板フラップ１７０、左底支えフラップ１３２および右底支えフラップ１４２の重なり部分を斜線で示した。斜線部の面積は意外に小さい。
この問題を解決する方法として、紙箱底面の押し開きを防止しこの部分を自動ロックする例も報告されている（特許文献１参照）。
【特許文献１】特開２００６−３１５７０９公報
【発明の開示】
【発明が解決しようとする課題】
【０００５】
以上に述べたように、従来のこの種の紙箱では、底面での各部の重なり面積が小さく充分な強度が得られないという問題があった。特許文献１に示す方法も、収容物の抜き取りや改ざんを防止する目的には有効であるが、底面の補強という面ではそれほど効果は無く、構造が複雑になるという問題がある。
【０００６】
本発明は、この様な問題を解決して、比較的簡単な構成で、底面の強度を向上して底が開いて内容物が抜けるなどの問題を避けることができる、１枚の紙板から構成される紙箱の実現を課題とする。
【課題を解決するための手段】
【０００７】
上記課題を解決するため、本発明の紙箱は、平面に展開されたときは長方形の紙板であって、相互に対向する一対の左右側板と、各前記左右側板と側縁同士が接続された相互に対向する一対の前後端板と、いずれか一つ以上の前記左右側板及び前記前後端板に上縁において接続された蓋板と、前記左右側板の一方と前記端板とを接着する糊代と、各前記前後端板の一方の下縁に接続された底板と、他方の下縁に接続された底板フラップを有し、前記紙板を平面的な折り畳み状態から、立体的な箱形を形成するために各前記左右側板と前記前後端板とを直角になる方向に起こしたとき、前記底板に設けられた溝穴に前記底板フラップが先端から挿入されて底面を構成して箱形を形成することを特徴とする。
【０００８】
ここで、前記底板フラップ先端は外側から前記溝穴内部に向けて挿入されることを特徴とする。
【０００９】
ここで、前記底板は、前記前後端板の一方の内面の一部に接して、該前後端板の一方を補強する側板補強フラップを有することを特徴とする。
【００１０】
ここで、前記底板は、前記箱形の内部から底面の一面を覆い、該底面を補強する底面補強フラップを有することを特徴とする。
【発明の効果】
【００１１】
以上のように、本発明に係る紙箱によると、底板に底板フラップが挿入され、底面で紙板が複数枚重なる面積が大きくなり、比較的簡単な構成で底面の強度が増し、内容物の重さで底が開いて内容物が抜けるなどの問題を避けることができる、１枚の紙板から構成される紙箱を提供することができる。
【発明を実施するための最良の形態】
【００１２】
以下、図面を参照しつつ本発明に係る紙箱の実施形態を詳細に説明する。なお、以下の説明は発明をより深く理解するためのものであって、特許請求の範囲を限定するためのものではない。
【００１３】
図１は、本発明に係る紙箱の一実施形態の展開図である。
【００１４】
図１において、この実施形態１の紙箱１００は後端板１０、前端板２０、左側板３０、右側板４０、蓋板５０、後底板フラップ６０、前底板７０、左蓋支えフラップ３１、左底支えフラップ３２、右蓋支えフラップ４１、右底支えフラップ４２および糊代１１からなる。
【００１５】
後端板１０と前端板２０とは同一の形状であるが、糊代１１部分の紙厚の分だけ後端板１０の側方（図１で左右方向）の長さが短くなっている。後端板１０の左側縁には糊代１１が接続されている。左側板３０と右側板４０とは同一の形状で、側方の長さは等しい。後端板１０と前端板２０の側方の長さは、左側板３０と右側板４０の端方より長いので、箱形が形成されたときには平面視側方（幅）が端方（奥行き）より短い長方形となる。幅と奥行きとの比率は、約１対２．３である。前端板２０の上縁に接続された蓋板５０は箱形が形成されたときに各端板１０、２０及び各側板３０、４０より形成される上面開口部を閉塞する。
蓋板５０には折り返しフラップ５１が設けられていて、蓋板５０が閉じられたとき上面開口部に挿入されて、蓋板５０の位置を安定化する。
左側板３０と右側板４０の上縁には、左蓋支えフラップ３１、右蓋支えフラップ４１が設けられており、蓋板５０が閉じられるとき、蓋板５０を下支えする働きを有している。
【００１６】
各端板１０、２０の各下縁には後底板フラップ６０、前底板７０がそれぞれ接続されている。前底板７０には後底板フラップ６０の先端が挿入される溝穴７１が設けられていて、紙板を平面的な紙板状態から、立体的な箱形を形成するために前後端板１０，２０と左右側板３０、４０とを直角になる方向に起こしたとき、前底板７０に設けられた溝穴７１に後底板フラップ６０が先端から挿入されて底面を構成する。
【００１７】
左側板３０と右側板４０の下縁には、左底支えフラップ３２、右底支えフラップ４２が設けられており、これらの左右底支えフラップ３２、４２は前底板７０と後底板フラップ６０の組み合わせを下支えして底面の強度を上げる役割をはたしている。
【００１８】
図２（ａ）に、この紙箱１００が組みあがった状態での底面図を示す。また、図２（ｂ）は、底面側の後底板フラップ６０、前底板７０、左底支えフラップ３２、右底支えフラップ４２の重なり具合を示す図である。
図２（ａ）から分かるように、紙箱１００を構成したとき、左底支えフラップ３２、右底支えフラップ４２は前底板７０の内側に位置しており、後底板フラップ６０の先端部は前底板７０の溝孔７１に外側から挿入されている。
この実施形態では、前底板７０が底面をほぼ覆っているので、図２（ｂ）の斜線で示した部分は、紙箱１００が構成されたとき紙板が２重になっている部分になり、斜線がクロスしている部分は紙板が３重になっている部分に当たる。
【００１９】
この図からわかるように、本実施形態では、底面のほとんどの部分で紙板が２重、３重になって内容物を支える役割を果たしている。したがって従来の例に比べて格段に底面の強度が高く、また、後底板フラップ６０の先端部の前底板７０の溝孔７１に挿入されている面積も大きいので、比較的簡単な構成で、底面の強度を向上して底が開いて内容物が抜けるなどの問題を避けることができる。
【００２０】
図３に他の実施形態に係る紙箱の構成を示す。
図１及び図２と同一のものには同じ符号を付したので重複する説明は省略するが、本実施形態では、図３に示すように、前底板７０の下縁に前底板７０の長さ（図３の上下方向）よりも短い補強フラップ７２を設けるようにしている。この構成によると、前後端板１０，２０と左右側板３０，４０と補強フラップ７２を直角になる方向に起こしたとき、補強フラップ７２が紙箱１００の内部に入り込み、後端板１０の内面に接するため、後端板１０の強度を補強することとなり、後端板１０がねじれたり、凹んだりすることを防止する。
【００２１】
図４に、更に他の実施形態に係る紙箱の構成を示す。
図１及び図２と同一のものには同じ符号を付したので重複する説明は省略するが、この実施形態では、図４に示すように、前底板７０の下縁に前底板７０と略同一の大きさの補強フラップ７３を設けるようにしている。この構成によると、紙板を平面的な紙板状態から、立体的な箱型を形成するために前後端板１０，２０と左右側板３０，４０と補強フラップ７３を直角になる方向に起こしたとき、前底板７０に設けられた溝穴７１に後底板フラップ６０が先端から挿入されて底面を構成する。このときに、補強フラップ７３は、紙箱１００の内部に入り込み、底面の内側の一面を覆うことができるため、底面が二重底となり底面の補強をすることができる。
【００２２】
以上、本発明の実施例について説明したが、本発明は上記実施例に限定されるものではなく、本発明の要旨の範囲内において、適宜変形実施が可能であることは言うまでもない。
【産業上の利用可能性】
【００２３】
本発明は、以上に述べたように、簡単な構成で底面の強度を向上した紙箱を構成することができ、菓子類やペットフードなど種々の商品の収納紙箱として広く利用することができ、広範囲な分野で利用される可能性を有している。
【図面の簡単な説明】
【００２４】
【図１】本発明の紙箱の展開図である。
【図２】図１に示す本発明の紙箱の底面図と紙板の積層部を示す説明図である。
【図３】他の実施形態に係る紙箱の展開図である。
【図４】他の実施形態に係る紙箱の展開図である。
【図５】従来の紙箱の展開図である。
【図６】図３に示す従来の紙箱の底面図と紙板の積層部を示す説明図である。
【符号の説明】
【００２５】
１０    後端板
１１    糊代
２０    前端板
３０    左側板
３１    左蓋支えフラップ
３２    左底支えフラップ
４０    右側板
４１    右蓋支えフラップ
４２    右底支えフラップ
５０    蓋板
６０    後底板フラップ
７０    前底板
７１    溝孔
７２、７２    補強フラップ
１００    紙箱
【図１】
2009154890.tif 000003
【図２】
2009154890.tif 000004
【図３】
2009154890.tif 000005
【図４】
2009154890.tif 000006
【図５】
2009154890.tif 000007
【図６】
2009154890.tif 000008